(57)【特許請求の範囲】
【請求項１】
苗室（１）に苗を収容して下降することにより土壌面に苗を植付ける植付嘴（２）に、苗室（１）の外周部から嘴下縁部（３）にわたって施用室（４）を形成し、施用室（４）に収容した施用剤を苗植付位置よりも深く施用する構成とし、植付嘴（２）の上側には苗及び施用剤の供給を受けるホッパ（１３）を設け、ホッパ（１３）は、苗供給案内用の苗ホッパ（３６）を内側に備え、施用剤供給案内用の施用ホッパ（３５）を外側に備え、施用ホッパ（３５）よりも苗ホッパ（３６）を高く形成し、植付嘴（２）を昇降作動させる昇降リンク（９）を設け、植付嘴（２）は、閉鎖した状態で下降して土壌面に突入し、植付穴を形成しながら開いて施用剤を施用すると共に苗を植付ける構成とした苗植機。
【請求項２】
ホッパ（１３）には閉鎖状態でも苗をホッパ（１３）内へ供給可能なホッパカバー（１４）を設け、植付嘴（２）の昇降に連動してホッパカバー（１４）を開閉作動するように構成し、植付嘴（２）が上昇すると、ホッパカバー（１４）が閉鎖状態となると共に施用剤が繰り出されて施用室（４）へ供給される構成とし、昇降リンク（９）の昇降作動に連動する施用剤繰出装置（５）を設け、該施用剤繰出装置（５）の施用ノズル（１８）がのぞむ植付嘴（２）に、施用ノズル（１８）を介して施用剤が流下する構成とし、植付嘴（２）は内側の苗嘴（３８）と外側の施用嘴（３７）を備え、施用嘴（３７）を苗嘴（３８）よりも大きい開閉角度で開く構成とした請求項１に記載の苗植機。
【発明の詳細な説明】
【技術分野】
【０００１】
この発明は、苗植嘴の構成に関し、苗植付と同時に、植付穴の底部に肥料、又は薬剤等を施用するものである。
【背景技術】
【０００２】
苗植嘴の一側上部に施用嘴を設けて、苗植付時に施肥する技術（例えば、特許文献１参照）がしられている。
【特許文献１】特開２００６ー１４６６２号公報（第３頁、図３）。
【発明の開示】
【発明が解決しようとする課題】
【０００３】
苗植嘴によって苗植付と同時に施肥を行う場合、肥料等の施用域が浅くなって、肥効が低下しやすい。
【課題を解決するための手段】
【０００４】
請求項１に記載の発明は、苗室（１）に苗を収容して下降することにより土壌面に苗を植付ける植付嘴（２）に、苗室（１）の外周部から嘴下縁部（３）にわたって施用室（４）を形成し、施用室（４）に収容した施用剤を苗植付位置よりも深く施用する構成とし、植付嘴（２）の上側には苗及び施用剤の供給を受けるホッパ（１３）を設け、ホッパ（１３）は、苗供給案内用の苗ホッパ（３６）を内側に備え、施用剤供給案内用の施用ホッパ（３５）を外側に備え、施用ホッパ（３５）よりも苗ホッパ（３６）を高く形成し、植付嘴（２）を昇降作動させる昇降リンク（９）を設け、植付嘴（２）は、閉鎖した状態で下降して土壌面に突入し、植付穴を形成しながら開いて施用剤を施用すると共に苗を植付ける構成とした苗植機とする。
請求項２に記載の発明は、ホッパ（１３）には閉鎖状態でも苗をホッパ（１３）内へ供給可能なホッパカバー（１４）を設け、植付嘴（２）の昇降に連動してホッパカバー（１４）を開閉作動するように構成し、植付嘴（２）が上昇すると、ホッパカバー（１４）が閉鎖状態となると共に施用剤が繰り出されて施用室（４）へ供給される構成とし、昇降リンク（９）の昇降作動に連動する施用剤繰出装置（５）を設け、該施用剤繰出装置（５）の施用ノズル（１８）がのぞむ植付嘴（２）に、施用ノズル（１８）を介して施用剤が流下する構成とし、植付嘴（２）は内側の苗嘴（３８）と外側の施用嘴（３７）を備え、施用嘴（３７）を苗嘴（３８）よりも大きい開閉角度で開く構成とした請求項１に記載の苗植機とする。
【発明の効果】
【０００５】
請求項１に記載の発明は、植付穴においては下層に施用剤が施用されると共に上部に苗が植え付けられ、苗植付嘴２の構成を簡単な構成としながら、供給された施用剤の流下が円滑に行われ、苗植付穴に対する肥料等の施用域を深く案内して的確な深層施用を行わせ、肥効又は薬効を高めることができる。また、施用ホッパ３５へ施用剤を供給するとき、内側の苗ホッパ３６側への混入を防止できる。
請求項２に記載の発明は、ホッパカバー１４の閉鎖により、苗に対して施用剤が直接降りかからないようにできる。また、植付嘴２にのぞむ施用ノズル１８により、苗に対して施用剤が直接降りかからないようにできる。更に、苗を植付穴に植え付けた後で苗の外周の外方へ施用剤を拡散させて施用することができる。
【発明を実施するための最良の形態】
【０００６】
図例に基づいて、苗植機車体は、左右前輪１９間の上方部に位置するミッションケース２０にハンドルフレーム２１の前端部を一体に設け、このハンドルフレーム２１は機体の左右一側寄りに偏倚して左右後輪２２間を経て後方上部にわたって、下方湾曲、乃至屈曲する形態に構成し、後端部にハンドル２５を形成する。このハンドルフレーム２１を車体主体とし、このハンドルフレーム２１の上方部にサブフレーム２３を設けて、苗供給装置７や苗植嘴２等を設け、前記ミッションケース２０の上部にエンジン２４を設け、このエンジン２４によって後輪２２や、苗供給装置７、及び苗植嘴２等を駆動して苗植作用を行わせる。前記ハンドルフレーム２１は、断面丸形チューブ材や、楕円形、乃至角形チューブ材等から構成されて、弓状形態に湾曲、乃至屈曲形成している。このハンドルフレーム２１は、単一の構成にしているが、太さや、剛性等によって左右に二本、又は三本等に複数本を平行状に並べた形態に構成することもできる。このようなハンドルフレーム２１を主体として、各前輪１９や後輪２２、更には苗供給装置７等を支持装着するための各部のサブフレーム２３を設けている。
【０００７】
このハンドルフレーム２１の前部で左右側に配置の前輪１９は、ミッションケース２０の前側から左右外側へ前輪支持軸２６を張り出して設け、この前輪支持軸２６の両端部から前下方へ突出の前輪アーム２７端の車軸２８周りに回転自在に軸受している。前記ミッションケース２０から左右両側へ突出のアクスルハウジング２９の外端に、後輪２２を軸受した伝動ケース３０を上下回動可能に取り付けて、該エンジン２４の駆動により伝動回転して走行することができる。又、この後輪２２はハンドルフレーム２１の湾曲部の左右両側に位置して配置され、伝動ケース３０と一体のブラケットアーム３１と、ミッションケース２０から後方へ突出して支持されるピッチングシリンダ５２によって前後動されるシーソアーム５３の左右両端部との間には、左側にはローリングシリンダ５４を設け、右側には連結ロッド５５を設けている。ピッチングシリンダ５２の伸縮制御によって左右の後輪２２を上下動して車高を変更制御すると共に、ローリングシリンダ５４の伸縮制御によって左側の後輪２２を上下動して、車体の左右傾斜を変更制御するものである。
【０００８】
前記苗植嘴２を伝動する苗植伝動装置３２は、ミッションケース２０の後側に連結した苗植伝動ケース３４と、サブフレーム２３とにわたって支持した伝動ケース３３によって作動するように構成している。前後方向へ開閉回動可能の苗植嘴２を有した嘴ホルダ８を前後一対の昇降リンク９、１０によって平行状態に維持して植付作動するように構成し、苗植嘴２を略楕円形状形態の苗植軌跡線Ｄを作動させるものである。この昇降リンク９を伝動ケース３３のクランクアーム１１によって回転駆動して昇降させると共に、揺動リンク１２によって植付嘴２を前後に揺動させて、植付嘴２を苗植軌跡線Ｄに添わせて作動させる。
【０００９】
ここにおいて、この発明に係る苗植嘴２は、嘴体中央部の苗室１に苗を収容して下降しながら土壌面に形成の植付穴にこの収容苗を植付ける植付嘴２に、この苗室１の外周部から嘴下縁部３にわたって施用剤収容の施用室４を形成し、植付嘴２の開きによってこれら施用室４の施用剤を苗植付位置よりも深く施用することを特徴とする。植付嘴２の上方苗供給装置部と下方植付土壌面部との間の昇降苗植作動によって、苗供給装置部から供給された苗を植付嘴２の中央部の苗室１内に収容すると共に、この外側の施用室４部に収容して、この植付嘴２を閉鎖した状態で下降して土壌面に突き刺して適宜深さの植付穴を形成しながら、これら植付嘴２を開いて施用室４の収容施用剤を嘴下縁部３から下側の植付穴の土壌面部に施用する。又、これと同時に内側の苗室１に収容されていた苗を該施用剤の施用された植付穴の土壌面に落下させて植え付ける。このため、植付穴部においては下層の土壌面部には施用剤が施用されると共に、この上側面部に苗が植え付けられる。
【００１０】
これら苗植嘴２の構成は中心部に苗室１を形成し、この外周部に施用室４を一体的に形成したもので、嘴ホルダ８に対して前後方向へ回動して前後対向面部を開閉して、閉鎖時には内部に苗や、施用剤を収容保持し、開放時にはこれらを下方の植付穴部へ向けて落下排出させるものである。この嘴ホルダ８の上側には苗ホッパ１３を設けて、前記苗供給装置７や、施用剤繰出装置５からの苗の供給、及び施用剤の供給等を受けることができるように構成し、この苗ホッパ１３にはホッパカバー１４を設けて、このカバー１４を苗植嘴２の昇降作動によってリンク１５連動して開閉作動するように構成している。そして、苗を供給するときは施用剤の繰出をこのカバー１４で閉鎖して、苗に対して施用剤が直接降りかからないようにしている。又、この繰出装置５は上部にホッパ１６を有して、前記昇降リンク９の昇降作動等と連動して連動ロンク１７を介して繰出連動される。この繰出装置５による施用剤の繰出は各施用室４にのぞむ施用ノズル１８を介して流下案内される。
【００１１】
前輪１９、後輪２２の駆動によって車体を苗植畝面に添わせて走行させながらクランクアーム１１の回転により苗植嘴２を駆動して昇降させる。苗植嘴２が上昇すると閉鎖した状態となり、作業者が苗供給装置７から苗を取出しながらカバー１４の開かれたホッパ１３内へ供給する。このカバー１４が閉鎖されると繰出装置５が連動ロッド１７等を介して連動されて、ホッパ１６の施用剤が施用ノズル１８から繰り出されて、収容苗の外周部の施用室４内に供給される。このようにして苗植嘴２の苗室１に苗を収容保持し、施用室４に施用剤を収容した状態で、この苗植嘴２が下降されて、閉鎖形態の苗植嘴２の下端部が植付土壌面に突き刺して、所定深さの植付穴を形成する。この植付穴を形成するとき植付嘴２が開くことによって苗室１、及び施用室４が開放されて、下方の植付穴部に苗を落下させると共に、施用剤を落下させる。このとき施用剤は、施用室４が植付嘴２の嘴下縁部３にまでわたって形成されているため、植付穴土壌面に深く施用することができる。そして、これらの中央部に植え付けられる苗は施用剤の施用された植付土壌面部の上側に位置して植え込まれるものであるから、苗根と施用剤との直接の接触を少なくすることができ、苗根毛部の傷みを少なくすることができる。植付穴に苗を植え付けた植付嘴２は開放した状態で上昇して閉鎖状態に戻り、再度苗や、施用剤等の供給を待つ。又、苗の植え付けられた植付穴部は後続の培土輪３４による培土作用によって埋め戻されて、植付姿勢を維持される。
【００１２】
次に、主として図７、図８に基づいて、前記苗植嘴２の上側に設ける苗や施用剤等を落下案内するためのホッパ１３を、内側の苗供給案内用の苗ホッパ３６を、外側の施用剤供給案内用の施用ホッパ３５よりも高く形成して、この施用ホッパ３５へ施用剤を供給するとき、内側の苗ホッパ３６側へ混入を防止するものである。又、植付嘴２の嘴ホルダ８に対する前後開閉において、外側の施用嘴３７を内側の苗嘴３８よりも大きく開くように構成したものである。苗を植付穴に植え付けた後で外周部の施用剤を外方へ拡散させて施用することができる。嘴ホルダ８に対する開閉作動ピン３９周りの開閉回動を、これら施用嘴３７と一体のアーム４０を、苗嘴３８と一体のアーム４１のピン４２に係合させることによって開閉連動するように構成している。アーム４１を連動リンク４３を介して連動することによって、アーム４１のピン４２に係合して施用嘴３７を開閉する。このアーム４１の長さ方向には多段のピン穴４４を形成していて、この各ピン穴４４にピン４２を差し替えることによって、作動てこ比を代えて苗嘴３８と施用嘴３７との開閉角度を変更することができる。
【００１３】
次に、主として図９に基づいて、前記苗植嘴２の下端部外周部に土掻きホッパ４５を設け、この土掻きホッパ４５と苗植嘴２の苗嘴３８の外周面との間に適宜の土壌掻込用の土入間隔４６を形成して、苗植付時にこの土掻きホッパ４５を苗植付部の土壌面に差し込ませて、開放時にはこの土壌部分を土掻きホッパ４５の土入間隔４６に掬い込ませて、下端開放部から苗と共に落下させて、植付苗に対する覆土を行わせる。
【００１４】
次に、主として図１０に基づいて、供給苗を収容して植付作動する苗植嘴２の内周面に上下方向に添う適宜高さのリブ４７を適宜間隔の施用路４８として形成する。この施用路４８を通して施用剤を流下させるもので、前記施用室４の構成に代える形態である。苗はこれら各リブ４７で囲われた中央部に案内されて、各リブ４７間の施用路４８間隔を維持する。この施用路４７の上端部には蛇腹形態の可撓性ホース４９を介して連結の施用ノズル５０をのぞませて連結している。
【図面の簡単な説明】
【００１５】
【図１】苗植嘴部の側面図。
【図２】苗植機の側面図。
【図３】その平面図。
【図４】その苗植嘴部の平面図。
【図５】その側面図。
【図６】施用剤繰出装置部、及び苗植嘴部の側面図と、平面図。
【図７】一部別実施例を示す苗植嘴部の斜視図。
【図８】その作動状態を示す側面図。
【図９】一部別実施例を示す苗植嘴部の斜視図。
【図１０】一部別実施例を示す苗植嘴部の側面図と、平面図。
【符号の説明】
【００１６】
１  苗室
２  苗植嘴
３  嘴下縁部
４  施用室
５  繰出装置
【図１】
0005012206.tif 000002
【図２】
0005012206.tif 000003
【図３】
0005012206.tif 000004
【図４】
0005012206.tif 000005
【図５】
0005012206.tif 000006
【図６】
0005012206.tif 000007
【図７】
0005012206.tif 000008
【図８】
0005012206.tif 000009
【図９】
0005012206.tif 000010
【図１０】
0005012206.tif 000011